(57)【要約】【課題】アダプタの取り外し作業を容易とし短時間で行うことを可能とする取り外し工具及びこれを用いたアダプタの取り外し方法を提供する。【解決手段】取り外し工具１１は、配線盤５３の取付穴６１への挿入時に板バネ５９が取付穴６１によって閉じられ、取付穴６１を通過後に板バネ５９が開くことで配線盤５３に係止されるアダプタ５１を取り外す工具であって、アダプタ５１の取り外し方向の後端部に当接する前後移動可能に支持されたアダプタ押し部材３０と、アダプタ押し部材３０よりも前方にあってアダプタ押し部材３０がアダプタ５１に当接して後方に移動すると板バネ５９を閉じる板バネ押さえ部材３５とを有する。【選択図】図３
2010098787.tif 000002
【特許請求の範囲】
【請求項１】
板体の取付穴への挿入時に板バネが前記取付穴によって閉じられ、前記取付穴を通過後に前記板バネが開くことで前記板体に係止されるアダプタを取り外す工具であって、
前記アダプタの取り外し方向の後端部に当接する前後移動可能に支持されたアダプタ押し部材と、
前記アダプタ押し部材よりも前方にあって前記アダプタ押し部材が前記アダプタに当接して後方に移動すると前記板バネを閉じる板バネ押さえ部材とを有することを特徴とする取り外し工具。
【請求項２】
請求項１に記載の取り外し工具であって、
前記アダプタ押し部材は、付勢バネで前方に付勢されて使用初期位置に位置決めされることを特徴とする取り外し工具。
【請求項３】
請求項１または２に記載の取り外し工具であって、
取り外し対象のアダプタに対し隣り合うアダプタから逃げる切欠部が形成されていることを特徴とする取り外し工具。
【請求項４】
請求項１から３の何れか一項に記載の取り外し工具であって、
取り外し対象のアダプタに対し隣り合うアダプタに接続されたケーブルから逃げるテーパ部が形成されていることを特徴とする取り外し工具。
【請求項５】
請求項１から４の何れか一項に記載の取り外し工具を用いて前記アダプタを前記板体から取り外す方法であって、
前記取り外し工具を前記アダプタに対して取り外し方向に前進させることにより、前記アダプタ押し部材を前記アダプタの後端部に当接させて後方に移動させた後、
前記板バネ押さえ部材で前記板バネを閉じ、さらに前記アダプタ押し部材で前記アダプタを前方に押して前進させることを特徴とするアダプタの取り外し方法。
【請求項６】
請求項５記載のアダプタの取り外し方法であって、
前記アダプタ押し部材で前記アダプタを前方に押して前進させることで、前記取付穴内で前記板バネを開き、前記アダプタを前記板体に保持させることを特徴とするアダプタの取り外し方法。
【発明の詳細な説明】
【技術分野】
【０００１】
本発明は、取り外し工具及びこれを用いたアダプタの取り外し方法に関するものである。
【背景技術】
【０００２】
光配線盤には、光コネクタアダプタを多数配列してなるコネクタ接続盤が設けられている。そして、光ファイバコードの接続替えにおいては、コネクタ接続盤の任意の位置の光コネクタアダプタに接続されている光ファイバコードの光コネクタプラグを抜き取り、他の光コネクタアダプタに接続替えを行う（例えば、特許文献１参照）。
【０００３】
【特許文献１】特開２００１−５７６８３号公報
【発明の開示】
【発明が解決しようとする課題】
【０００４】
ところで、上記光コネクタアダプタ等のアダプタには、板バネで配線盤に係止されるものがある。そのアダプタを配線盤の取付穴へ挿入すると、アダプタに設けられた板バネが取付穴によって閉じられ、取付穴を通過後に開くことになる。このようにして、アダプタが配線盤に係止される。このように構成することでアダプタの配線盤への取付作業を容易化できる。
【０００５】
しかし、このアダプタを配線盤から取り外す際には、板バネを閉じながらアダプタを取付穴から抜く必要があり、従来は、これを手作業により行っていたため作業が非常に面倒であった。特に、多数のアダプタが近接状態で配列されているような場合には、他のアダプタ及び他のアダプタに接続されたケーブル類への干渉に配慮しつつ作業を行う必要があり、作業性が悪く作業時間が長くなってしまっていた。また、アダプタの脱落を防止するため、配線盤前面側から板バネを閉じながらアダプタを保持する人と、配線盤裏面側からアダプタを引き抜く人による二人作業を余儀なくされていた。もしアダプタが脱落して他のアダプタに接続されている使用中の光ファイバに接触すると、通信に影響を与えてしまうことがある。
【０００６】
本発明の目的は、アダプタの取り外し作業を容易とし、作業を短時間で行うことを可能とする取り外し工具及びこれを用いたアダプタの取り外し方法を提供することにある。
【課題を解決するための手段】
【０００７】
前記課題を解決することのできる本発明に係る取り外し工具は、板体の取付穴への挿入時に板バネが前記取付穴によって閉じられ、前記取付穴を通過後に前記板バネが開くことで前記板体に係止されるアダプタを取り外す工具であって、
前記アダプタの取り外し方向の後端部に当接する前後移動可能に支持されたアダプタ押し部材と、
前記アダプタ押し部材よりも前方にあって前記アダプタ押し部材が前記アダプタに当接して後方に移動すると前記板バネを閉じる板バネ押さえ部材とを有することを特徴とする。
【０００８】
本発明に係る取り外し工具において、前記アダプタ押し部材は、付勢バネで前方に付勢されて使用初期位置に位置決めされることが好ましい。
【０００９】
本発明に係る取り外し工具において、取り外し対象のアダプタに対し隣り合うアダプタから逃げる切欠部が形成されていることが好ましい。
【００１０】
本発明に係る取り外し工具において、取り外し対象のアダプタに対し隣り合うアダプタに接続されたケーブルから逃げるテーパ部が形成されていることが好ましい。
【００１１】
また、本発明のアダプタの取り外し方法は、前記本発明の取り外し工具を用いて前記アダプタを前記板体から取り外す方法であって、
前記取り外し工具を前記アダプタに対して取り外し方向に前進させることにより、前記アダプタ押し部材を前記アダプタの後端部に当接させて後方に移動させた後、
前記板バネ押さえ部材で前記板バネを閉じ、さらに前記アダプタ押し部材で前記アダプタを前方に押して前進させることを特徴とする。
【００１２】
本発明に係る取り外し方法において、前記アダプタ押し部材で前記アダプタを前方に押して前進させることで、前記取付穴内で前記板バネを開き、前記アダプタを前記板体に保持させることが好ましい。
【発明の効果】
【００１３】
本発明の取り外し工具及びこれを用いたアダプタの取り外し方法によれば、取り外し工具をアダプタに対して取り外し方向に前進させることにより、アダプタ押し部材をアダプタの後端部に当接させて後方に移動させた後、板バネ押さえ部材で板バネを閉じ、さらにアダプタ押し部材でアダプタを前方に押して前進させることになる。このため、アダプタの取り外し作業が容易となり、短時間で行うことが可能となる。また、多数のアダプタが近接状態で配列されているような場合であっても、他のアダプタ及び他のアダプタに接続されたケーブル類へ干渉することなく対象のアダプタを取り外すことができ、他のアダプタに接続されたケーブル類の損傷等を防止できる。したがって、作業の信頼性を向上できる。
【発明を実施するための最良の形態】
【００１４】
以下、本発明に係る取り外し工具及びこれを用いたアダプタの取り外し方法の実施の形態の例について、図面を参照して説明する。
【００１５】
図１は本発明に係る取り外し工具の一実施形態を示すもので、（ａ）は透過側面図、（ｂ）は透過平面図、（ｃ）は透過正面図である。図２は本発明に係る取り外し工具によって取り外されるアダプタを配線盤に取り付けた状態を示すもので、（ａ）は平面図、（ｂ）は側面図である。図３は本発明に係る取り外し工具を用いたアダプタの取り外し方法を示す平断面図である。
【００１６】
図１に示すように、本実施形態の取り外し工具１１は、その後端部に、使用時に作業者の手で把持される合成樹脂製のグリップ１２が設けられている。また、取り外し工具１１は、グリップ１２に一端側が埋設固定されてグリップ１２から前方に延出する金属製の棒部材１３を有している。この棒部材１３の前端側には雄ネジ１４が形成されている。
【００１７】
また、取り外し工具１１は、棒部材１３の雄ネジ１４に螺合されることで棒部材１３に固定されるアルミニウム合金製のベース本体１７を有している。このベース本体１７は、棒部材１３から前方に延出するベース板部１８と、このベース板部１８の幅方向両側の端縁部から互いに平行となるようにベース板部１８に対して垂直に延出する略矩形状の一対の延出板部１９とを有している。つまり、ベース本体１７は、正面視Ｕ字状をなしている。
【００１８】
一対の延出板部１９には、それぞれ一対のガイドピン２１が間隔をあけて嵌合されて固定されている。これらガイドピン２１は、棒部材１３と平行に延出板部１９から前方に突出している。
【００１９】
また、両側の延出板部１９には、それぞれ、ガイドピン２１間に、前方に開口する一対の挿入穴２３が形成されている。挿入穴２３には、それぞれコイルバネ（付勢バネ）２４が挿入されており、これらのコイルバネ２４も延出板部１９から前方に突出している。
【００２０】
また、両側の延出板部１９には、それぞれ、両側の挿入穴２３の間の中央位置に、棒部材１３側が大径で棒部材１３とは反対側が小径の段付き穴２６が形成されている。段付き穴２６には、棒部材１３側が大径で棒部材１３とは反対側が小径の段付き形状のガイド棒２７が摺動可能に挿入されている。これらのガイド棒２７も延出板部１９から前方に突出している。
【００２１】
両側の延出板部１９の前側には、それぞれアルミニウム合金製のアダプタ押し部材３０が設けられている。これらのアダプタ押し部材３０は、それぞれガイド棒２７に固定されており、両端側のガイド穴３１にガイドピン２１を摺動可能に嵌合させている。これにより、これらアダプタ押し部材３０は、それぞれ、ガイド棒２７が段付き穴２６に案内され、両端側のガイド穴３１がガイドピン２１に案内されることで、ベース本体１７に対して前後移動可能に支持されている。また、アダプタ押し部材３０は、それぞれがコイルバネ２４によってベース本体１７から離れる方向である前方に付勢され、板バネ押さえ部材３５に当接して使用初期位置に位置決めされる。
【００２２】
ベース本体１７の前側には、アダプタ押し部材３０よりも前方に位置するように、アルミニウム合金製の板バネ押さえ部材３５がボルト３６で固定されている。この板バネ押さえ部材３５は、ベース板部１８の前面にボルト３６で固定されて前方に延出する固定板部３７と、この固定板部３７の幅方向両側の端縁部からアダプタ押し部材３０の前方に位置するようにベース板部１８に対して垂直に延出する略矩形状の一対の押さえ板部３８とを有している。つまり、板バネ押さえ部材３５も、正面視Ｕ字状をなしている。押さえ板部３８には、それぞれ、前端部の互いに近接する側にガイド面４０が形成されている。
なお、両側のアダプタ押し部材３０は、押さえ板部３８よりも、互いに近接する方向に突出している。
【００２３】
固定板部３７の幅方向の中間部分には、押さえ板部３８よりも後方に後退させることにより切欠部４１が形成されており、この中間部分の前端には、押さえ板部３８とは反対側に、後側ほど押さえ板部３８から離れる方向に傾斜するテーパ部３９が形成されている。
【００２４】
次に、上記取り外し工具１１で取り外されるアダプタ５１について説明する。
図２に示すように、アダプタ５１は、光ファイバ心線（ケーブル）５２に取り付けられた光コネクタ５４が接続されるアダプタであり、板状の配線盤（板体）５３に取り付けられて用いられるものである。なお、光ファイバ心線５２は、光ファイバ素線や光ファイバコードの形態の場合もある。アダプタ５１は、中央にフランジ部５５が形成された略直方体形状をなしており、フランジ部５５の両側に本体部５６が形成されている。フランジ部５５の両側に形成された本体部５６には、それぞれ複数本、具体的には４本の光ファイバ心線５２の光コネクタ５４が並列状態で接続可能となっている。よって、本体部５６は、光ファイバ心線５２の配列方向に長い形状となっている。
【００２５】
アダプタ５１の一側の本体部５６には、一対のバネ部材５８が長さ方向の両側に取り付けられている。バネ部材５８は、本体部５６を幅方向の両側から挟持することで本体部５６に保持される。これらのバネ部材５８には、それぞれの本体部５６の幅方向における両側に板バネ５９が切り起こされて形成されている。板バネ５９は、フランジ部５５とは反対側を基端とし、フランジ部５５側を先端とするように切り起こされており、フランジ部５５側ほど本体部５６からの距離が大きくなるように傾斜している。なお、板バネ５９は、弾性変形可能であるため、本体部５６からの距離が大きい開状態と本体部５６からの距離が小さい閉状態との間で開閉可能となっている。また、これらの板バネ５９とフランジ部５５との距離は、配線盤５３の厚さ寸法よりも僅かに大きな寸法に設定されている。
【００２６】
配線盤５３には、アダプタ５１の一側の本体部５６が挿入される矩形状の取付穴６１が形成されている。この取付穴６１は、本体部５６の長さ及び幅と同等の長さ及び幅を有する矩形穴であり、長さ方向を例えば上下方向に一致させて形成されている。配線盤５３には、取付穴６１が、それぞれの長さ方向の位置を合わせて幅方向に等間隔で複数形成され、また、それぞれの幅方向の位置を合わせて長さ方向にも等間隔で複数形成されている。これにより、配線盤５３には、複数のアダプタ５１が、それぞれの長さ方向の位置を合わせて幅方向に等間隔で複数取り付けられている。
【００２７】
配線盤５３にアダプタ５１を取り付ける場合には、バネ部材５８が装着された本体部５６を先頭にし、この本体部５６を配線盤５３の取り付け対象の取付穴６１に挿入する。すると、板バネ５９が、基端側から先に取付穴６１に挿入されることになり、取付穴６１で押されて閉方向に弾性変形して取付穴６１の幅に合うように縮んで本体部５６に近づく。このように板バネ５９が取付穴６１によって閉じられた後、取付穴６１を通過すると弾性復元力で開く。これにより、板バネ５９とフランジ部５５とで配線盤５３を挟持する状態になり、アダプタ５１が配線盤５３に係止される。
【００２８】
次に、上記の取り外し工具１１を用いてアダプタ５１を配線盤５３から取り外す取り外し方法について説明する。
【００２９】
作業者は、取り外し工具１１をそのグリップ１２を把持して板バネ押さえ部材３５の位置を、図３（ａ）に示すように、取り外し対象のアダプタ５１に合わせる。つまり、板バネ押さえ部材３５の両押さえ板部３８間に取り外し対象のアダプタ５１が位置するように取り外し工具１１の位置を決める。この状態から、作業者が取り外し工具１１を取り外し方向（アダプタ５１に向かう方向）に前進させると、取り外し工具１１は、板バネ押さえ部材３５の両押さえ板部３８間に取り外し対象のアダプタ５１を進入させることになる。このとき、押さえ板部３８の前端部に形成されたガイド面４０で、押さえ板部３８間にアダプタ５１が案内される。なお、押さえ板部３８間、アダプタ押し部材３０間及び延出板部１９間に光コネクタ５４を通すことができるので、光ファイバ心線５２が接続された状態でも作業が可能である。
【００３０】
作業者が取り外し工具１１を取り外し方向にさらに前進させると、図３（ｂ）に示すように、アダプタ押し部材３０がアダプタ５１の後端部に当接する。そして、作業者がさらに取り外し工具１１を前進させると、アダプタ５１の後端部でアダプタ押し部材３０が停止したまま、板バネ押さえ部材３５及びベース本体１７が前進する。これにより、アダプタ押し部材３０が板バネ押さえ部材３５及びベース本体１７に対して後方に向けて移動し、コイルバネ２４を収縮させる。
【００３１】
さらに、作業者が取り外し工具１１を取り外し方向に前進させると、図３（ｃ）に示すように、板バネ押さえ部材３５の押さえ板部３８がアダプタ５１の板バネ５９に乗り上げて板バネ５９を弾性変形させて閉じることになる。そして、板バネ５９が取付穴６１を通過可能な位置まで閉じられると、アダプタ５１は配線盤５３による係止が解除されることになり、これにより、収縮していたコイルバネ２４が初期位置に戻るべくアダプタ押し部材３０を前方に押圧し、アダプタ押し部材３０がアダプタ５１を前方に押して配線盤５３に対して前進させる。すると、図３（ｄ）に示すように板バネ５９の先端が取付穴６１よりも前方に位置する。これにより、アダプタ５１は配線盤５３への係止が解除された状態が維持されることになり、取付穴６１に対して取り外し方向の引き抜きが可能になる。よって、作業者は、アダプタ５１を把持して引き抜くことでアダプタ５１を配線盤５３から取り外すことができる。さらには、図３（ｄ）の状態で取り外し工具１１を後退させてアダプタ５１から外しても、図３（ｅ）に示すように取付穴６１内で板バネ５９が開いて取付穴６１に挟持され、アダプタ５１を配線盤５３の裏面側から容易に取外し可能な状態で配線盤５３に保持させることもできる。
【００３２】
なお、板バネ押さえ部材３５の押さえ板部３８及びベース本体１７の延出板部１９の幅は、取り外し作業時に、取り外し対象のアダプタ５１の横に隣接するアダプタ５１に干渉することなく移動できる寸法に設定されている。また、板バネ押さえ部材３５の固定板部３７の幅方向の中間部分には、隣り合うアダプタから逃げるように切欠部４１が形成されているので、取り外し対象のアダプタ５１の縦に隣接するアダプタ５１に干渉することなく取り外し対象のアダプタ５１を取り外すことができる。さらに、固定板部３７の幅方向の中間部分の前端には、隣り合うアダプタに接続されたケーブルから逃げるようにテーパ部３９が形成されているので、取り外し対象のアダプタ５１を取り外す際に、縦に隣接するアダプタ５１から引き出されている光ファイバ心線５２が取り外し工具１１と干渉することを避けることができる。
【００３３】
以上説明したように、上記実施形態に係る取り外し工具１１及びこれを用いたアダプタ５１の取り外し方法によれば、取り外し工具１１をアダプタ５１に対して取り外し方向に前進させることにより、アダプタ押し部材３０をアダプタ５１の後端部に当接させて後方に移動させた後、板バネ押さえ部材３５の両押さえ板部３８で板バネ５９を閉じ、さらにアダプタ押し部材３０でアダプタ５１を前方に押して前進させることになる。このため、アダプタ５１の取り外し作業が容易となり、短時間で行うことが可能となる。また、多数のアダプタ５１が近接状態で配列されているような場合であっても、作業者はグリップ１２を把持して取り外し工具１１を前方に押すだけでよいので、アダプタ５１付近まで作業者が手を伸ばす必要がない。すなわち他のアダプタ５１及び他のアダプタ５１から引き出されている光ファイバ心線５２へ干渉することなく取り外し対象のアダプタ５１を取り外すことができ、他のアダプタ５１から引き出されている光ファイバ心線５２の損傷等を防止できる。また、図３（ｅ）のようにアダプタ１１を配線盤５３裏面側から容易に取外し可能な状態で配線盤５３に保持させ、その後に配線盤５３裏面側からアダプタ１１を引き抜くことで、当該一連の作業を一人で行うことが可能となる。さらには、アダプタが脱落して使用中の光ファイバに接触し、通信に影響を与えるような事態も防止することができる。したがって、作業の信頼性を向上できる。
【００３４】
また、アダプタ押し部材３０が、コイルバネ２４で前方に付勢されて使用初期位置に位置決めされることになるため、板バネ５９を閉じたコネクタ５１をコイルバネ２４の付勢力で取り外し方向に移動させることができる。なお、アダプタ押し部材３０は、コイルバネ２４で前方に付勢される形態でなくてもよく、例えばレバー等でアダプタ押し部材３０を前方に変位させる構成であってもよい。
【００３５】
また、板バネ押さえ部材３５には、取り外し対象のアダプタ５１に対し縦に隣接するアダプタ５１から逃げる切欠部４１が形成されているので、隣接するアダプタ５１に干渉することなく取り外し対象のアダプタ５１を円滑に取り外すことができ、作業性を向上できる。
【００３６】
さらに、板バネ押さえ部材３５には、取り外し対象のアダプタ５１に対し縦に隣接するアダプタ５１に接続された光ファイバ心線５２から逃げるテーパ部３９が形成されているので、隣接するアダプタ５１から引き出されている光ファイバ心線５２に接触しても、光ファイバ心線５２を緩やかに逃がすことができ、光ファイバ心線５２を許容曲げ径より小さい曲げ径で曲げることを防止できる。したがって、作業の信頼性をさらに向上できる。
【００３７】
また、押さえ板部３８の前端部に形成されたガイド面４０で、押さえ板部３８間にアダプタ５１を案内することができ、押さえ板部３８間へのアダプタ５１の進入を円滑に行うことができる。
【００３８】
なお、上記実施形態においては、片側に４本の光ファイバ心線５２を接続可能なアダプタ５１を取り外す場合を例示して説明したが、他のアダプタを取り外す場合にも適用可能である。例えば、片側に２本の光ファイバ心線５２を接続可能なアダプタを取り外す場合には、板バネ押さえ部材３５の押さえ板部３８、アダプタ押し部材３０及びベース本体１７の延出板部１９のそれぞれの長さが、その分短い取り外し工具を用いれば良い。また、光ファイバ心線５２以外のケーブルを接続可能なアダプタにも適用可能である。
【図面の簡単な説明】
【００３９】
【図１】本実施形態に係る取り外し工具を示す図であり、（ａ）は透過側面図、（ｂ）は透過平面図、（ｃ）は透過正面図である。
【図２】取り外し工具によって取り外されるアダプタを配線盤に取り付けた状態を示す図であり、（ａ）は平面図、（ｂ）は側面図である。
【図３】取り外し工具を用いたアダプタの取り外し方法を示す平断面図である。
【符号の説明】
【００４０】
１１：取り外し工具、２４：コイルバネ（付勢バネ）、３０：アダプタ押し部材、３５：板バネ押さえ部材、３９：テーパ部、４１：切欠部、５１：アダプタ、５２：光ファイバ心線（ケーブル）、５３：配線盤（板体）、５９：板バネ、６１：取付穴
【図１】
2010098787.tif 000003
【図２】
2010098787.tif 000004
【図３】
2010098787.tif 000005